(57)【要約】【課題】携帯端末の筺体の変形を最適に抑えつつ、音響特性を改善した携帯端末の筺体構造、及びその製造方法を提供すること。【解決手段】携帯端末の筺体構造は、筺体内に形成され、第１貫通孔を介して外部と連通する第１気室と、筺体内に前記第１気室と隣接して形成され、第１気室と通気孔を介して連通する第２気室と、第２気室内に設けられ、第２貫通孔を介して第１気室と連通する音源と、通気孔に設けられ、通気孔を塞ぎ防水性及び通気性を有するシート部材と、を備えている。通気孔には、通気孔の中心側へ突出する突起部が設けられている。【選択図】図３
2012186549.tif 000002
【特許請求の範囲】
【請求項１】
筺体内に形成され、第１貫通孔を介して外部と連通する第１気室と、
前記筺体内に前記第１気室と隣接して形成され、前記第１気室と通気孔を介して連通する第２気室と、
前記第２気室内に設けられ、第２貫通孔を介して前記第１気室と連通する音源と、
前記通気孔に設けられ、該通気孔を塞ぎ防水性及び通気性を有するシート部材と、を備える携帯端末の筺体構造であって、
前記通気孔には、該通気孔の中心側へ突出する突起部が設けられている、ことを特徴とする携帯端末の筺体構造。
【請求項２】
請求項１記載の携帯端末の筺体構造であって、
前記突起部は前記通気孔の前記第２気室側に設けられ、前記シート部材は前記通気孔の前記第１気室側に設けられている、ことを特徴とする携帯端末の筺体構造。
【請求項３】
請求項１記載の携帯端末の筺体構造であって、
前記突起部は前記通気孔の前記第１気室側に設けられ、前記シート部材は前記通気孔の前記第２気室側に設けられている、ことを特徴とする携帯端末の筺体構造。
【請求項４】
請求項１記載の携帯端末の筺体構造であって、
前記突起部は前記通気孔の前記第１気室側及び前記第２気室側に夫々設けられている、ことを特徴とする携帯端末の筺体構造。
【請求項５】
請求項１乃至４のうちいずれか１項記載の携帯端末の筺体構造であって、
前記突起部は、前記第１気室と前記第２気室との隔壁に一体的に形成されている、ことを特徴とする携帯端末の筺体構造。
【請求項６】
請求項１乃至５のうちいずれか１項記載の携帯端末の筺体構造であって、
前記音源は、防水機能を有している、ことを特徴とする携帯端末の筺体構造。
【請求項７】
請求項１乃至６のうちいずれか１項記載の携帯端末の筺体構造であって、
前記携帯端末は、防水機能を有する携帯電話機である、ことを特徴とする携帯端末の筺体構造。
【請求項８】
筺体内に形成され、第１貫通孔を介して外部と連通する第１気室と、
前記筺体内に前記第１気室と隣接して形成され、前記第１気室と通気孔を介して連通する第２気室と、
前記第２気室内に設けられ、第２貫通孔を介して前記第１気室と連通する音源と、
前記通気孔に設けられ、該通気孔を塞ぎ防水性及び通気性を有するシート部材と、を備える携帯端末の筺体構造の製造方法であって、
前記第１気室と前記第２気室の隔壁に一体で、前記通気孔の中心側へ突出する突起部を形成する、ことを特徴とする携帯端末の筺体構造の製造方法。
【発明の詳細な説明】
【技術分野】
【０００１】
本発明は、防水式の携帯電話などの携帯端末の筺体構造、及びその製造方法に関するものである。
【背景技術】
【０００２】
一般に、防水機能を有する携帯端末の筺体は、気密性が高く構成されていることから、急激な温度変化や大気圧の変化によって筐体内外に圧力差が生じる。このような圧力差は、筐体の変形や電子部品の破損を招くおそれがある。そこで、音孔及び通気孔が形成された筐体と、音孔に対向して筐体の内部に配設された音源と、防水性及び通気性を有し、音孔及び通気孔を閉塞する防水シートと、を有する携帯端末が知られている（例えば、特許文献１参照）。
【０００３】
上記携帯端末において、例えば、通気孔の断面積が小さく形成された場合、筐体内部の空気の排出が困難となり、一定時間経過しても筐体が膨らんだ状態で変形することとなる。一方、通気孔の断面積をより大きく形成することで、筐体内部の空気を円滑に通気孔から排出し、筐体の膨らみ等を瞬時に元の状態に修復することが可能となる。
【先行技術文献】
【特許文献】
【０００４】
【特許文献１】特開２０１０−１０９８５１号公報
【発明の概要】
【発明が解決しようとする課題】
【０００５】
しかしながら、上記携帯端末においては、スピーカの鳴動時に発生する筐体内部の空気圧力変動により、異常振動を起こしビリツキ音等が発生することがある。また、通気孔の断面積を広くするほど、防水シートの自由度が増えて振動し易くなるため、スピーカ鳴動時の異常振動によるビリツキ音が大きくなってしまう。さらに、単に、通気孔の断面積を広くするだけでは、音漏れが増加するためスピーカの音響特性を劣化させてしまうこととなる。
【０００６】
本発明は、このような問題点を解決するためになされたものであり、携帯端末の筺体の変形を最適に抑えつつ、音響特性を改善した携帯端末の筺体構造、及びその製造方法を提供することを主たる目的とする。
【課題を解決するための手段】
【０００７】
上記目的を達成するための本発明の一態様は、筺体内に形成され、第１貫通孔を介して外部と連通する第１気室と、前記筺体内に前記第１気室と隣接して形成され、前記第１気室と通気孔を介して連通する第２気室と、前記第２気室内に設けられ、第２貫通孔を介して前記第１気室と連通する音源と、前記通気孔に設けられ、該通気孔を塞ぎ防水性及び通気性を有するシート部材と、を備える携帯端末の筺体構造であって、前記通気孔には、該通気孔の中心側へ突出する突起部が設けられている、ことを特徴とする携帯端末の筺体構造である。
【０００８】
他方、上記目的を達成するための本発明の一態様は、筺体内に形成され、第１貫通孔を介して外部と連通する第１気室と、前記筺体内に前記第１気室と隣接して形成され、前記第１気室と通気孔を介して連通する第２気室と、前記第２気室内に設けられ、第２貫通孔を介して前記第１気室と連通する音源と、前記通気孔に設けられ、該通気孔を塞ぎ防水性及び通気性を有するシート部材と、を備える携帯端末の筺体構造の製造方法であって、前記第１気室と前記第２気室の隔壁に一体で、前記通気孔の中心側へ突出する突起部を形成する、ことを特徴とする携帯端末の筺体構造の製造方法であってもよい。
【発明の効果】
【０００９】
本発明によれば、携帯端末の筺体の変形を最適に抑えつつ、音響特性を改善した携帯端末の筺体構造、及びその製造方法を提供することができる。
【図面の簡単な説明】
【００１０】
【図１】本発明の実施の形態１に係る筺体構造が実装された携帯電話機の概略的な構成を示す斜視図である。
【図２】図１に示す携帯電話機を背面から見た斜視図である。
【図３】図２に示す携帯端末の筺体下部を直線Ａ−Ａ'で切断した際の断面図であり、筺体下部の筺体構造を示す図である。
【図４】図３に示す通気孔をＢ方向から見た上面図である。
【図５】本発明の実施の形態２に係る携帯電話機の筺体構造の概略的な構成を示す断面図である。
【図６】本発明の実施の形態３に係る携帯電話機の筺体構造の概略的な構成を示す断面図である。
【発明を実施するための形態】
【００１１】
実施の形態１．
以下、図面を参照して本発明の実施の形態について説明する。図１は、本実施の形態１に係る筺体構造が実装された携帯電話機の概略的な構成を示す斜視図である。図２は、図１に示す携帯電話機を背面から見た斜視図である。本実施の形態１に係る携帯端末の筺体構造１０は、例えば、図１に示すような折畳式の携帯電話機１に実装されている。
【００１２】
本実施の形態１に係る携帯電話機１は、無線基地局を介して、一般電話や他の携帯電話機と通信接続するものである。携帯電話機１は、筺体上部２と、筺体上部２にヒンジ機構などを介して回動可能に連結された筺体下部３と、を備えている。なお、筺体構造１０は、折畳式の携帯電話機１に実装されているが、これに限らず、例えば、筺体上部及び筺体下部が一体式あるいはスライド式の携帯電話機に実装されてもよく、任意の携帯端末に実装可能である。
【００１３】
筺体上部２には、その上端部に設けられ通話相手側の音声が出力されるレシーバ部４と、各種の情報を表示する表示部５と、が設けられている。レシーバ部４は、使用者が防水スピーカ１６から出力される通話相手先の音声を聞くために耳を当てる部分である。表示部５は、例えば、液晶や有機ＥＬ画面の前面にスクリーンシートを貼り付ける構造を有しており、使用者に対して必要な情報を表示する部分であり、文字、記号、図形等で情報を通知する機能を有している。
【００１４】
筺体下部３には、使用者がキー操作可能なキー操作部６と、その下端部に設けられ使用者の音声が入力されるマイク部７と、内蔵するリチウム電池などの充電式電池を覆うための電池カバー８と、が設けられている。
【００１５】
キー操作部６には、数字キー、アルファベットキー（文字キー）、十字キーなどのキー操作ボタンが設けられており、使用者は、このキー操作部６を操作して携帯電話機１のダイヤル入力や携帯電話機１に備わっている各種設定の操作を行うことができる。マイク部７は、通話相手側に送信する使用者側の音声を、マイクロフォンを用いて入力し、入力された音声を送信可能な電気信号に変換する機能を有している。
【００１６】
電池カバー８には、二重蓋やパッキン構造など防水性を保つ対策が施されており、使用者が開閉可能なように取り付けられている。
【００１７】
図３は、図２に示す携帯端末の筺体下部を直線Ａ−Ａ'で切断した際の断面図であり、筺体下部の筺体構造を示す図である。図３に示すように、本実施の形態に係る筺体下部３の筺体構造１０は、筺体下部３内に形成された前気室（第１気室）１１と、前気室１１に隣接して形成された本体気室（第２気室）１２と、を備えている。
【００１８】
前気室１１は、その上面に化粧パネル１３が設けられており、この化粧パネル１３により外部と画成され密閉されている。化粧パネル１３には、筺体下部３の長手方向に沿ってスピーカ音孔（第１貫通孔）１４が３つ形成されており、前気室１１は、このスピーカ音孔１４を介して外部と連通している。なお、化粧パネル１３に設けられるスピーカ音孔１４の数及び位置は、上記一例に限らず任意で良い。
【００１９】
本体気室１２内には、防水性の両面テープ１５等を用いて密着固定された、防水機能を有する防水スピーカ（音源）１６が配置されている。本体気室１２は、密閉された空間であり、本体気室１２と前気室１１との隔壁には、本体気室１２と前気室１１とを連通する貫通孔（第２貫通孔）１７及び通気孔１８が設けられている。
【００２０】
ここで、貫通孔１７は、防水スピーカ１６が隣接して対向配置されることから、その通気性は、防水スピーカ１６の配置位置及びその精度、防水スピーカ１６の構成等に影響を受け、その通気性能は不安定となる。そこで、上述のように、貫通孔１７とは別個に、通気孔１７が設けられている。なお、本体気室１２と前気室１１との隔壁には通気孔１８が１つ設けられているが、これに限らず、設けられる通気孔１８の数は任意でよい。
【００２１】
本体気室１２内に配置された防水スピーカ１６は、貫通孔１７を介して前気室１１と連通している。したがって、防水スピーカ１６は、貫通孔１７、前気室１１、及びスピーカ音孔１４を介して外部に連通しており、これらを介して発生した音を外部に対して出力することができる。防水スピーカ１６は、例えば、着信時やメロディダウンロード時に音(メロディ)を出力する機能、着信を使用者に対して通知する機能、あるいは、音による情報を使用者に対して通知する機能、などを有している。また、ハンズフリー機能使用時においては、通話相手先の音声(受話音)を出力する。
【００２２】
本体気室１２内には、携帯電話機１の各種機能（排水機能、メロディ鳴動、発着呼、インターネット接続、メール送受信など）を駆動および制御する部品（ＤＳＰ（Digital Signal Processing）やＣＳＰ（Chip Size Package）、音源ＩＣ、Ｄ/Ａ変換器、Ａ/Ｄ変換器、アンプ、抵抗、コンデンサなど）が実装された基板１９が設けられている。例えば、ＤＳＰは、音源ＩＣに格納された音楽・音声信号をＤ/Ａ変換器、及びＳＰＫ_アンプを介して、防水スピーカ１６に対して伝達する機能を有している。
【００２３】
筺体下部３の下面（外面）には、キー操作ボタン６に対応して、数字キーや十字キーが印字されたキーシート２１が設けられている。また、筺体下部３のキーシート２１の内側（上側）には、キーフレキ２２が設けられている。キー操作ボタン６が実装されたキーフレキ２２は、剛性の板金により構成されており、筐体下部３のフロント側に固定され、その前面にはキーシート２１が貼り付けられている。
【００２４】
本体気室１２と前気室１１とを連通する通気孔１８は、例えば、本体気室１１内に密閉され基板１９等から生じる熱により膨張した熱膨張空気や、電池カバー８を着装するときに生じた圧縮空気などを、本体気室１２内から放出するための通気性能を有する孔である。通気孔１８の上面（前気室側）には、通気孔１８を塞ぐ防水性及び通気性を有する防水シート（シート部材）２３が、防水性の両面テープ等を用いて、固定されている。
【００２５】
なお、通気孔１８の断面は、略矩形状に形成されているが、これに限らず、例えば、円形形状、あるいは楕円形状であってもよく、任意の形状であってもよい。防水シート２３は通気孔１８を塞ぐように、通気孔１８の断面形状に沿って略矩形状に形成されているが、これに限らず、防水シート２３の形状も任意で良い。本体気室１２内の空気は、通気孔１８、前気室１１、及びスピーカ音孔１４を介して外部へ放出される。
【００２６】
一般に、通気孔の断面積を大きくするほど、本体気室内の空気を瞬時に放出でき、筺体下部の変形を最適に抑えることができる。一方で、通気孔の断面積が増加すると、防水シートの自由度が増加し振動し易くなる。このため、防水スピーカの鳴動時に発生する本体気室内や前気室内の圧力変動により、異常振動が発生しビリツキ音などが発生し易くなる。また、音漏れも増加するため、防水スピーカの音響特性も劣化させてしまう（特に、共振周波数以下の低い周波数帯域）。
【００２７】
そこで、本実施の形態に係る筺体構造１０において、通気孔１８の大きさを十分に確保しつつ、その通気孔１８には、通気孔１８の中心側へ突出する突起部２４が設けられている。この突起部２４は、通気孔１８の音道面積を縮小させる機能を有している。例えば、図４に示すように、通気孔１８の本体気室１２側の開口面積は、略２／３に縮小されるように突起部２４は形成されているが、これに限らず、例えば、開口面積を略１／２に縮小されるように突起部２４を形成してもよく、形成される突起部２４の形状は任意でよい。
【００２８】
また、突起部２４は、筺体下部３の前気室１１と本体気室１２との隔壁に一体で、モールド樹脂などを用いて形成されているが、これに限らず、例えば、形成が困難な場合は、プラスチック板などを両面テープで貼り付けて突起部を構成してもよく、任意の手法を用いて突起部２４を形成してもよい。
【００２９】
以上、本実施の形態１に係る携帯電話機１の筺体構造１０において、本体気室１１と前気室１２とを連通する通気孔１８には、通気孔１８の中心側へ突出する突起部２４が設けられている。これにより、通気孔１８の防水シート２３の通気面積を大きく確保でき、本体気室１２内の空気を瞬時に放出でき、筺体下部３の変形を最適に抑えることができる。
【００３０】
例えば、温度変化などにより、筺体下部３の本体気室１２内に密閉された空気が膨張し、スクリーンシートやキーシート２１が変形した場合でも、通気孔１８から膨張した空気が瞬時に放出されるため、スクリーンシートやキーシート２１の形状が元の状態に瞬時に戻る。
【００３１】
さらに、その防水シート２３に対する瞬間的な空気の圧力変化を突起部２４により抑制でき、その圧力変化の影響を受け難い構造となる。このため、本体気室１２内の圧力変動により異常振動が発生すること無く、音響効果も改善される。すなわち、携帯電話機１の筺体の変形を最適に抑えつつ、その音響特性を改善することができる。
【００３２】
実施の形態２．
図５は、本実施の形態２に係る携帯電話機の筺体構造の概略的な構成を示す断面図である。上記本実施の形態１に係る筺体構造１０において、防水シート２３は通気孔１８の前気室１１側（外側）に設けられ、突起部２４は通気孔１８の本体気室１２側（内側）に設けられる構成であるが、本実施の形態２に係る筺体構造２０において、防水シート２３は通気孔１８の本体気室１２側（内側）に設けられ、突起部２４は通気孔１８の前気室１１側（外側）に設けられる構成となっている。
【００３３】
本実施の形態２に係る筺体構造２０において、他の構成は上記実施の形態１に係る筺体構造１０と略同一であるため、同一部分には同一符号を付して詳細な説明は省略する。
【００３４】
なお、上記実施の形態２において、突起部２４は、通気孔１８の前気室１１側及び本体気室１２側の双方に設けられていても良く、すなわち、防水シート２３の通気面積を十分に確保でき、かつ、防水シート２３が瞬間的な空気の圧力変化に影響を受け難い構造となれば、突起部２４を通気孔１８の任意の位置に設けることができる。
【００３５】
実施の形態３．
図６は、本実施の形態３に係る携帯電話機の筺体構造の概略的な構成を示す断面図である。上記実施の形態１に係る筺体構造１０において、本体気室１２内には防水機能を有する防水スピーカ１６が配置されているが、本実施の形態３に係る筺体構造３０において、本体気室１２内には防水機能を有しない非防水スピーカ２５が配置され、このスピーカ２５の前面にスピーカ防水シート２６が防水性の両面テープなどを用いて取付けられている。
【００３６】
本実施の形態３に係る筺体構造３０において、他の構成は上記実施の形態１に係る筺体構造１０と略同一であるため、同一部分には同一符号を付して詳細な説明は省略する。
【００３７】
なお、本発明は上記実施の形態に限られたものではなく、趣旨を逸脱しない範囲で適宜変更することが可能である。
【００３８】
例えば、上記実施の形態１乃至３に係る筺体構造１０、２０、３０を、レシーバ実装構造に適用しても良い。
【００３９】
また、上記実施の形態１乃至３に係る筺体構造１０、２０、３０は携帯電話機１に実装されているが、これに限らず、例えば、ページャ、ＰＨＳ、音楽再生プレイヤー、デジタルカメラなど防水性を保持するための密閉構造を有する任意の携帯端末に実装可能である。
【００４０】
さらに、上記実施の形態の一部又は全部は、以下の付記のようにも記載されうるが、以下には限られない。
【００４１】
（付記１）
筺体内に形成され、第１貫通孔を介して外部と連通する第１気室と、前記筺体内に前記第１気室と隣接して形成され、前記第１気室と通気孔を介して連通する第２気室と、前記第２気室内に設けられ、第２貫通孔を介して前記第１気室と連通する音源と、前記通気孔に設けられ、該通気孔を塞ぎ防水性及び通気性を有するシート部材と、を備える携帯端末の筺体構造であって、前記通気孔には、該通気孔の中心側へ突出する突起部が設けられている、ことを特徴とする携帯端末の筺体構造。
（付記２）
（付記１）の携帯端末の筺体構造であって、前記突起部は前記通気孔の前記第２気室側に設けられ、前記シート部材は前記通気孔の前記第１気室側に設けられている、ことを特徴とする携帯端末の筺体構造。
（付記３）
（付記１）の携帯端末の筺体構造であって、前記突起部は前記通気孔の前記第１気室側に設けられ、前記シート部材は前記通気孔の前記第２気室側に設けられている、ことを特徴とする携帯端末の筺体構造。
（付記４）
（付記１）の携帯端末の筺体構造であって、前記突起部は前記通気孔の前記第１気室側及び前記第２気室側に夫々設けられている、ことを特徴とする携帯端末の筺体構造。
（付記５）
（付記１）乃至（付記４）のうちいずれかの携帯端末の筺体構造であって、前記突起部は、前記第１気室と前記第２気室との隔壁に一体的に形成されている、ことを特徴とする携帯端末の筺体構造。
（付記６）
（付記１）乃至（付記５）のうちいずれかの携帯端末の筺体構造であって、前記音源は、防水機能を有している、ことを特徴とする携帯端末の筺体構造。
（付記７）
（付記１）乃至（付記６）のうちいずれかの携帯端末の筺体構造であって、前記携帯端末は、防水機能を有する携帯電話機である、ことを特徴とする携帯端末の筺体構造。
（付記８）
筺体内に形成され、第１貫通孔を介して外部と連通する第１気室と、前記筺体内に前記第１気室と隣接して形成され、前記第１気室と通気孔を介して連通する第２気室と、前記第２気室内に設けられ、第２貫通孔を介して前記第１気室と連通する音源と、前記通気孔に設けられ、該通気孔を塞ぎ防水性及び通気性を有するシート部材と、を備える携帯端末の筺体構造の製造方法であって、前記第１気室と前記第２気室の隔壁に一体で、前記通気孔の中心側へ突出する突起部を形成する、ことを特徴とする携帯端末の筺体構造の製造方法。
【符号の説明】
【００４２】
１    携帯電話機
２    筐体上部
３    筐体下部
１０、２０、３０    筐体構造
１１    前気室
１２    本体気室
１３    化粧パネル
１４    スピーカ音孔
１５    両面テープ
１６    防水スピーカ
１７    貫通孔
１８    通気孔
１９    基板
２１    キーシート
２２    キーフレキ
２３    防水シート
２４    突起部
【図１】
2012186549.tif 000003
【図２】
2012186549.tif 000004
【図３】
2012186549.tif 000005
【図４】
2012186549.tif 000006
【図５】
2012186549.tif 000007
【図６】
2012186549.tif 000008